(57)【特許請求の範囲】
【請求項１】
圧縮機と、同圧縮機から吐出される冷媒の圧力である吐出圧力を検出する吐出圧力検出手段を有する室外機と、
室内熱交換器と、室内膨張弁と、前記室内熱交換器が凝縮器として機能しているときに同室内熱交換器から流出する冷媒の温度である熱交出口温度を検出する液側温度検出手段を有する複数の室内機を有し、
前記室外機が前記複数の室内機より上方に設置されるとともに、前記複数の室内機の設置場所に高低差がある空気調和装置であって、
前記空気調和装置が暖房運転を行うときに、前記各室内機の冷媒過冷却度が同冷媒過冷却度の最大値と最小値の２値の相加平均値である平均冷媒過冷却度となるように、あるいは、前記各室内機の熱交出口温度が同熱交出口温度の最大値と最小値の２値の相加平均値である平均熱交出口温度となるように、前記各室内膨張弁の開度を調整する冷媒量バランス制御を実行する制御手段を有する、
ことを特徴とする空気調和装置。
【請求項２】
圧縮機と、同圧縮機から吐出される冷媒の圧力である吐出圧力を検出する吐出圧力検出手段を有する室外機と、
室内熱交換器と、室内膨張弁と、前記室内熱交換器が凝縮器として機能しているときに同室内熱交換器から流出する冷媒の温度である熱交出口温度を検出する液側温度検出手段を有する複数の室内機を有し、
前記室外機が前記複数の室内機より上方に設置されるとともに、前記複数の室内機の設置場所に高低差がある空気調和装置であって、
前記空気調和装置が暖房運転を行うときに、前記各室内機の冷媒過冷却度が、同冷媒過冷却度の最大値と最小値の２値の相加平均値である平均冷媒過冷却度となるように、あるいは、前記各室内機の熱交出口温度が、同熱交出口温度の最大値と最小値の２値の相加平均値である平均熱交出口温度となるように、前記各室内膨張弁の開度を調整する冷媒量バランス制御を実行する制御手段を有し、
前記制御手段は、前記複数の室内機のうち暖房能力が発揮できていない室内機が存在するか否かを判断し、暖房能力が発揮できていない室内機が存在する場合は前記冷媒量バランス制御を実行する、
ことを特徴とする空気調和装置。
【請求項３】
前記制御手段は、前記冷媒過冷却度あるいは前記熱交出口温度を用いて、複数の前記室内機のうち暖房能力が発揮できていない室内機が存在するか否かを判断する、
ことを特徴とする請求項２に記載の空気調和装置。
【発明の詳細な説明】
【技術分野】
【０００１】
本発明は、少なくとも１台の室外機に複数台の室内機が冷媒配管で接続された空気調和装置に関する。
【背景技術】
【０００２】
従来、少なくとも１台の室外機に複数台の室内機が液管とガス管で接続された空気調和装置では、室外機の設置場所と各室内機の設置場所の高低差や、各室内機間の高低差を考慮して冷媒回路を制御することで、各室内機で十分な空調能力を発揮できるようにしたものが提案されている。
【０００３】
例えば、特許文献１に記載の空気調和装置は、圧縮機と四方弁と室外熱交換器と室外ファンと室外膨張弁を備えた室外機を地上に設置する一方、室内熱交換器と室内膨張弁と室内ファンを備えた２台の室内機が高低差をもって（特許文献１では、建物の１階に１台の室内機が、４階にもう１台の室内機が各々）室外機より高い場所に設置され、２台の室内機と室外機を冷媒配管で接続して冷媒回路を形成している。
【０００４】
この空気調和装置で冷房運転を行うとき、室外機で凝縮し室外機から液管に流入した液冷媒は、重力に逆らって各室内機へと流れるので、高い位置に設置された室内機の室内膨張弁の上流側（室外機側）における液冷媒の圧力は、低い位置に設置された室内機の室内膨張弁の上流側における液冷媒の圧力よりも低くなる。このため、高い位置に設置された室内機の室内膨張弁の上流側の冷媒圧力と下流側（室内熱交換器側）の冷媒圧力の圧力差が、低い位置に設置された室内機の室内膨張弁の上流側の冷媒圧力と下流側の冷媒圧力の圧力差に比べて小さくなる。室内膨張弁の上流側と下流側との圧力差が小さいほど室内膨張弁を流れる冷媒量が少なくなるので、低い位置に設置された室内機に多くの冷媒が流れる一方、高い位置に設置された室内機に流れる冷媒量が減少して十分な冷房能力が得られない虞がある。
【０００５】
そこで、特許文献１の空気調和装置では、低い位置に設置された室内機の室内膨張弁の開度を、高い位置に設置された室内機の室内膨張弁の開度より所定開度小さくすることで、低い位置に設置された室内機における冷媒流量を少なくし、高い位置に設置された室内機における冷媒流量を増やしている。これにより、室外機を地上に設置する一方、２台の室内機が高低差をもって室外機より高い場所に設置されている空気調和装置であっても、高い位置に設置された室内機で十分な冷房能力を発揮できる。
【先行技術文献】
【特許文献】
【０００６】
【特許文献１】特開平４−２８９７０号公報
【発明の概要】
【発明が解決しようとする課題】
【０００７】
ところで、特許文献１の空気調和装置とは異なり、各室内機が高低差をもって設置され、かつ、室外機が各室内機より高い位置に設置されている空気調和装置で暖房運転を行うときは、以下の記載する問題があった。
【０００８】
暖房運転では、圧縮機から吐出されたガス冷媒は各室内機の室内熱交換器に流入して凝縮するが、室内熱交換器で凝縮し液管に流入した液冷媒が高い位置に設置された室外機に向かい重力に逆らって流れるため、低い位置に設置された室内機程、当該室内機から液管に流出した液冷媒が室外機に向かって流れにくくなる。これにより、低い位置に設置された室内機の室内膨張弁の下流側（室外機側）における液冷媒の圧力は、高い位置に設置された室内機の室内膨張弁の下流側における液冷媒の圧力よりも高くなる。従って、低い位置に設置された室内機の室内膨張弁の上流側（室内熱交換器側）の冷媒圧力と下流側の冷媒圧力の圧力差が、高い位置に設置された室内機の室内膨張弁の上流側の冷媒圧力と下流側の冷媒圧力の圧力差に比べて小さくなる。
【０００９】
室内膨張弁の上流側の冷媒圧力と下流側の冷媒圧力との圧力差が小さいほど室内膨張弁を流れる冷媒量が少なくなるので、高い位置に設置された室内機に多くの冷媒が流れる一方、低い位置に設置された室内機に流れる冷媒量が減少して当該室内機で十分な暖房能力が得られない虞がある。そこで、特許文献１の空気調和装置と同様の思想で、低い位置に設置された室内機の室内膨張弁の開度を、高い位置に設置された室内機の室内膨張弁の開度よりも常に大きくなるように制御することが考えられる。これにより、高い位置に設置された室内機に流れる冷媒量に比べて低い位置に設置された室内機に流れる冷媒量が多くなるので、低い位置に設置された室内機における暖房能力を向上させることができる。
【００１０】
ここで、低い位置に設置された室内機と高い位置に設置された室内機との高低差が大きい程、低い位置に設置された室内機から流出した液冷媒が液管内を室外機に向けて流れにくくなるので、両者の室内膨張弁の下流側における液冷媒の圧力の差が大きくなり、低い位置に設置された室内機の室内膨張弁の上流側の冷媒圧力と下流側の冷媒圧力との圧力差が小さくなる。そのため、低い位置に設置された室内機の室内膨張弁の開度は、低い位置に設置された室内機と高い位置に設置された室内機との高低差に応じた開度とする必要がある。つまり、低い位置に設置された室内機と高い位置に設置された室内機との高低差が大きくなる程、低い位置に設置された室内機の室内膨張弁の開度を大きくする必要がある。
【００１１】
しかし、低い位置に設置された室内機と高い位置に設置された室内機との高低差が大きく、低い位置に設置された室内機から液管に流出した液冷媒が室外機に向けて流れなくなる、つまり、液管の下方に液冷媒が滞留する場合は、低い位置に設置された室内機の室内膨張弁の開度を全開としても当該室内機に冷媒が流れず暖房能力が出ない（暖房ができない）という問題があった。
【００１２】
本発明は以上述べた問題点を解決するものであって、室外機が複数の室内機より高い位置に設置されている場合でも、暖房運転時に各室内機で十分な暖房能力を発揮できる空気調和装置を提供することを目的とする。
【課題を解決するための手段】
【００１３】
上記の課題を解決するために、本発明の空気調和装置は、圧縮機と圧縮機から吐出される冷媒の圧力である吐出圧力を検出する吐出圧力検出手段を有する室外機と、室内熱交換器と室内膨張弁と室内熱交換器が凝縮器として機能しているときに室内熱交換器から流出する冷媒の温度である熱交出口温度を検出する液側温度検出手段を有する複数の室内機を有し、室外機が複数の室内機より上方に設置されるとともに複数の室内機の設置場所に高低差があるものである。そして、この空気調和装置が暖房運転を行うときに、各室内機の冷媒過冷却度がこの冷媒過冷却度の最大値と最小値を用いて求める平均冷媒過冷却度となるように、あるいは、各室内機の熱交出口温度がこの熱交出口温度の最大値と最小値を用いて求める平均熱交出口温度となるように、各室内膨張弁の開度を調整する冷媒量バランス制御を実行する制御手段を有する。
【００１４】
また、制御手段は、複数の室内機のうち暖房能力が発揮できていない室内機が存在するか否かを判断し、暖房能力が発揮できていない室内機が存在する場合は冷媒量バランス制御を実行する。
【発明の効果】
【００１５】
上記のように構成した本発明の空気調和装置によれば、室外機が複数の室内機より高い位置に設置されている場合でも、暖房運転時に各室内機で十分な暖房能力を発揮できる。
【図面の簡単な説明】
【００１６】
【図１】本発明の実施形態における、空気調和装置の説明図であり、（Ａ）は冷媒回路図、（Ｂ）は室外機制御手段および室内機制御手段のブロック図である。
【図２】本発明の実施形態における、室内機および室外機の設置図である。
【図３】本発明の実施形態における、室外機制御部での処理を説明するフローチャートである。
【図４】本発明の他の実施形態における、室外機制御部での処理を説明するフローチャートである。
【発明を実施するための形態】
【００１７】
以下、本発明の実施の形態を、添付図面に基づいて詳細に説明する。実施形態としては、建物の屋上に設置される１台の室外機に、建物の各階に設置される３台の室内機が並列に接続され、全ての室内機で同時に冷房運転あるいは暖房運転が行える空気調和装置を例に挙げて説明する。尚、本発明は以下の実施形態に限定されることはなく、本発明の主旨を逸脱しない範囲で種々変形することが可能である。
【実施例１】
【００１８】
図１（Ａ）および図２に示すように、本実施形態における空気調和装置１は、建物の屋上に設置される１台の室外機２と、建物の各階に設置され、室外機２に液管８およびガス管９で並列に接続された３台の室内機５ａ〜５ｃとを備えている。詳細には、液管８は、一端が室外機２の閉鎖弁２５に、他端が分岐して室内機５ａ〜５ｃの各液管接続部５３ａ〜５３ｃに、それぞれ接続されている。また、ガス管９は、一端が室外機２の閉鎖弁２６に、他端が分岐して室内機５ａ〜５ｃの各ガス管接続部５４ａ〜５４ｃに、それぞれ接続されている。以上により、空気調和装置１の冷媒回路１００が構成されている。
【００１９】
まずは、室外機２について説明する。室外機２は、圧縮機２１と、四方弁２２と、室外熱交換器２３と、室外膨張弁２４と、液管８の一端が接続された閉鎖弁２５と、ガス管９の一端が接続された閉鎖弁２６と、冷媒貯留器であるアキュムレータ２８と、室外ファン２７とを備えている。そして、室外ファン２７を除くこれら各装置が以下で詳述する各冷媒配管で相互に接続されて、冷媒回路１００の一部をなす室外機冷媒回路２０を構成している。
【００２０】
圧縮機２１は、インバータにより回転数が制御される図示しないモータによって駆動されることで、運転容量を可変できる能力可変型圧縮機である。圧縮機２１の冷媒吐出側は、後述する四方弁２２のポートａに吐出管４１で接続されており、また、圧縮機２１の冷媒吸入側は、アキュムレータ２８の冷媒流出側に吸入管４２で接続されている。
【００２１】
四方弁２２は、冷媒の流れる方向を切り換えるための弁であり、ａ、ｂ、ｃ、ｄの４つのポートを備えている。ポートａは、上述したように圧縮機２１の冷媒吐出側に吐出管４１で接続されている。ポートｂは、室外熱交換器２３の一方の冷媒出入口に冷媒配管４３で接続されている。ポートｃは、アキュムレータ２８の冷媒流入側に冷媒配管４６で接続されている。そして、ポートｄは、閉鎖弁２６に室外機ガス管４５で接続されている。
【００２２】
室外熱交換器２３は、冷媒と、後述する室外ファン２７の回転により室外機２の内部に取り込まれた外気を熱交換させるものである。室外熱交換器２３の一方の冷媒出入口は、上述したように四方弁２２のポートｂに冷媒配管４３で接続され、他方の冷媒出入口は室外機液管４４で閉鎖弁２５に接続されている。
【００２３】
室外膨張弁２４は、室外機液管４４に設けられている。室外膨張弁２４は電子膨張弁であり、その開度が調整されることで、室外熱交換器２３に流入する冷媒量、あるいは、室外熱交換器２３から流出する冷媒量を調整する。室外膨張弁２４の開度は、空気調和装置１が冷房運転を行っている場合は全開とされる。また、空気調和装置１が暖房運転を行っている場合は、後述する吐出温度センサ３３で検出した圧縮機２１の吐出温度に応じてその開度を制御することで、吐出温度が性能上限値を超えないようにしている。
【００２４】
室外ファン２７は樹脂材で形成されており、室外熱交換器２３の近傍に配置されている。室外ファン２７は、図示しないファンモータによって回転することで図示しない吸込口から室外機２の内部へ外気を取り込み、室外熱交換器２３において冷媒と熱交換した外気を図示しない吹出口から室外機２の外部へ放出する。
【００２５】
アキュムレータ２８は、上述したように、冷媒流入側が四方弁２２のポートｃに冷媒配管４６で接続されるとともに、冷媒流出側が圧縮機２１の冷媒吸入側に吸入管４２で接続されている。アキュムレータ２８は、冷媒配管４６からアキュムレータ２８の内部に流入した冷媒をガス冷媒と液冷媒に分離してガス冷媒のみを圧縮機２１に吸入させる。
【００２６】
以上説明した構成の他に、室外機２には各種のセンサが設けられている。図１（Ａ）に示すように、吐出管４１には、圧縮機２１から吐出される冷媒の圧力である吐出圧力を検出する吐出圧力検出手段である吐出圧力センサ３１と、圧縮機２１から吐出される冷媒の温度を検出する吐出温度センサ３３が設けられている。冷媒配管４６におけるアキュムレータ２８の冷媒流入口近傍には、圧縮機２１に吸入される冷媒の圧力を検出する吸入圧力センサ３２と、圧縮機２１に吸入される冷媒の温度を検出する吸入温度センサ３４とが設けられている。
【００２７】
室外機液管４４における室外熱交換器２３と室外膨張弁２４との間には、室外熱交換器２３に流入する冷媒の温度あるいは室外熱交換器２３から流出する冷媒の温度を検出するための熱交温度センサ３５が設けられている。そして、室外機２の図示しない吸込口付近には、室外機２の内部に流入する外気の温度、すなわち外気温度を検出する外気温度センサ３６が備えられている。
【００２８】
また、室外機２には、室外機制御手段２００が備えられている。室外機制御手段２００は、室外機２の図示しない電装品箱に格納されている制御基板に搭載されている。図１（Ｂ）に示すように、室外機制御手段２００は、ＣＰＵ２１０と、記憶部２２０と、通信部２３０と、センサ入力部２４０とを備えている。
【００２９】
記憶部２２０は、ＲＯＭやＲＡＭで構成されており、室外機２の制御プログラムや各種センサからの検出信号に対応した検出値、圧縮機２１や室外ファン２７の制御状態等を記憶している。通信部２３０は、室内機５ａ〜５ｃとの通信を行うインターフェイスである。センサ入力部２４０は、室外機２の各種センサでの検出結果を取り込んでＣＰＵ２１０に出力する。
【００３０】
ＣＰＵ２１０は、前述した室外機２の各センサでの検出結果をセンサ入力部２４０を介して取り込む。また、ＣＰＵ２１０は、室内機５ａ〜５ｃから送信される制御信号を通信部２３０を介して取り込む。ＣＰＵ２１０は、取り込んだ検出結果や制御信号に基づいて、圧縮機２１や室外ファン２７の駆動制御を行う。また、ＣＰＵ２１０は、取り込んだ検出結果や制御信号に基づいて、四方弁２２の切り換え制御を行う。さらには、ＣＰＵ２１０は、取り込んだ検出結果や制御信号に基づいて、室外膨張弁２４の開度調整を行う。
【００３１】
次に、３台の室内機５ａ〜５ｃについて説明する。３台の室内機５ａ〜５ｃは、室内熱交換器５１ａ〜５１ｃと、室内膨張弁５２ａ〜５２ｃと、分岐した液管８の他端が接続された液管接続部５３ａ〜５３ｃと、分岐したガス管９の他端が接続されたガス管接続部５４ａ〜５４ｃと、室内ファン５５ａ〜５５ｃとを備えている。そして、室内ファン５５ａ〜５５ｃを除くこれら各装置が以下で詳述する各冷媒配管で相互に接続されて、冷媒回路１００の一部をなす室内機冷媒回路５０ａ〜５０ｃを構成している。尚、３台の室内機５ａ〜５ｃは全て同じ能力であり、暖房運転時の室内熱交換器５１ａ〜５１ｃの冷媒出口側における冷媒過冷却度を所定値（例えば、１０ｄｅｇ）以下とできれば、各室内機で充分な暖房能力を発揮できるものである。
【００３２】
尚、室内機５ａ〜５ｃの構成は全て同じであるため、以下の説明では、室内機５ａの構成についてのみ説明を行い、その他の室内機５ｂ、５ｃについては説明を省略する。また、図１では、室内機５ａの構成装置に付与した番号の末尾をａからｂおよびｃにそれぞれ変更したものが、室外機５ａの構成装置と対応する室内機５ｂ、５ｃの構成装置となる。
【００３３】
室内熱交換器５１ａは、冷媒と後述する室内ファン５５ａの回転により図示しない吸込口から室内機５ａの内部に取り込まれた室内空気を熱交換させるものであり、一方の冷媒出入口が液管接続部５３ａに室内機液管７１ａで接続され、他方の冷媒出入口がガス管接続部５４ａに室内機ガス管７２ａで接続されている。室内熱交換器５１ａは、室内機５ａが冷房運転を行う場合は蒸発器として機能し、室内機５ａが暖房運転を行う場合は凝縮器として機能する。
尚、液管接続部５３ａやガス管接続部５４ａは、各冷媒配管が溶接やフレアナット等により接続されている。
【００３４】
室内膨張弁５２ａは、室内機液管７１ａに設けられている。室内膨張弁５２ａは電子膨張弁であり、室内熱交換器５１ａが蒸発器として機能する場合すなわち室内機５ａが冷房運転を行う場合は、その開度は、室内熱交換器５１ａの冷媒出口（ガス管接続部５４ａ側）での冷媒過熱度が目標冷媒過熱度となるように調整される。ここで、目標冷媒過熱度とは、室内機５ａで十分な冷房能力が発揮されるための冷媒過熱度である。また、室内膨張弁５２ａは、室内熱交換器５１ａが凝縮器として機能する場合すなわち室内機５ａが暖房運転を行う場合は、その開度は、室内熱交換器５１ａの冷媒出口（液管接続部５３ａ側）での冷媒過冷却度が後述する平均冷媒過冷却度となるように調整される。
【００３５】
室内ファン５５ａは樹脂材で形成されており、室内熱交換器５１ａの近傍に配置されている。室内ファン５５ａは、図示しないファンモータによって回転することで、図示しない吸込口から室内機５ａの内に室内空気を取り込み、室内熱交換器５１ａにおいて冷媒と熱交換した室内空気を図示しない吹出口から室内へ供給する。
【００３６】
以上説明した構成の他に、室内機５ａには各種のセンサが設けられている。室内機液管７１ａにおける室内熱交換器５１ａと室内膨張弁５２ａとの間には、室内熱交換器５１ａに流入あるいは室内熱交換器５１ａから流出する冷媒の温度を検出する液側温度検出手段である液側温度センサ６１ａが設けられている。室内機ガス管７２ａには、室内熱交換器５１ａから流出あるいは室内熱交換器５１ａに流入する冷媒の温度を検出するガス側温度センサ６２ａが設けられている。室内機５ａの図示しない吸込口付近には、室内機５ａの内部に流入する室内空気の温度、すなわち吸込温度を検出する吸込温度検出手段である吸込温度センサ６３ａが備えられている。そして、室内機５ａの図示しない吹出口付近には、室内熱交換器５１ａで冷媒と熱交換を行って室内機５ａから室内に放出される空気の温度、すなわち吹出温度を検出する吹出温度検出手段である吹出温度センサ６４ａが備えられている。
【００３７】
また、室内機５ａには、室内機制御手段５００ａが備えられている。室内機制御手段５００ａは、室内機５ａの図示しない電装品箱に格納された制御基板に搭載されており、図１（Ｂ）に示すように、ＣＰＵ５１０ａと、記憶部５２０ａと、通信部５３０ａと、センサ入力部５４０ａとを備えている。
【００３８】
記憶部５２０ａは、ＲＯＭやＲＡＭで構成されており、室内機５ａの制御プログラムや各種センサからの検出信号に対応した検出値、使用者による空調運転に関する設定情報等を記憶する。通信部５３０ａは、室外機２および他の室内機５ｂ、５ｃとの通信を行うインターフェイスである。センサ入力部５４０ａは、室内機５ａの各種センサでの検出結果を取り込んでＣＰＵ５１０ａに出力する。
【００３９】
ＣＰＵ５１０ａは、前述した室内機５ａの各センサでの検出結果をセンサ入力部５４０ａを介して取り込む。また、ＣＰＵ５１０ａは、使用者が図示しないリモコンを操作して設定した運転情報やタイマー運転設定等を含んだ信号を図示しないリモコン受光部を介して取り込む。また、ＣＰＵ５１０ａは、運転開始／停止信号や運転情報（設定温度や室内温度等）を含んだ制御信号を、通信部５３０ａを介して室外機２に送信するとともに、室外機２が検出した吐出圧力等の情報を含む制御信号を通信部５３０ａを介して室外機２から受信する。ＣＰＵ５１０ａは、取り込んだ検出結果やリモコンおよび室外機２から送信された信号に基づいて、室内膨張弁５２ａの開度調整や、室内ファン５５ａの駆動制御を行う。
尚、以上説明した室外機制御手段２００と室内機制御手段５００ａ〜５００ｃとで、本発明の制御手段が構成される。
【００４０】
以上説明した空気調和装置１が、図２に示す建物６００に設置されている。具体的には、室外機２が屋上（ＲＦ）に配置されており、室内機５ａが３階、室内機５ｂが２階、室内機５ｃが１階に、それぞれ設置されている。そして、室外機２と室内機５ａ〜５ｃとは、上述した液管８とガス管９とで相互に接続されており、これら液管８とガス管９とは、図示しない建物６００の壁面内や天井裏に埋設されている。尚、図２では、最上階（３階）に設置されている室内機５ａと最下階（１階）に設置されている室内機５ｃとの高低差をＨで表している。
【００４１】
次に、本実施形態における空気調和装置１の空調運転時の冷媒回路１００における冷媒の流れや各部の動作について、図１（Ａ）を用いて説明する。尚、以下の説明では、室内機５ａ〜５ｃが暖房運転を行う場合について説明し、冷房／除霜運転を行う場合については詳細な説明を省略する。また、図１（Ａ）における矢印は暖房運転時の冷媒の流れを示している。
【００４２】
図１（Ａ）に示すように、室内機５ａ〜５ｃが暖房運転を行う場合、室外機制御手段２００のＣＰＵ２１０は、四方弁２２を実線で示す状態、すなわち、四方弁２２のポートａとポートｄとが連通するよう、また、ポートｂとポートｃとが連通するよう、切り換える。これにより、冷媒回路１００が、室外熱交換器２３が蒸発器として機能するとともに室内熱交換器５１ａ〜５１ｃが凝縮器として機能する暖房サイクルとなる。
【００４３】
圧縮機２１から吐出された高圧の冷媒は、吐出管４１を流れて四方弁２２に流入し、四方弁２２から室外機ガス管４５、閉鎖弁２６、ガス管９、ガス管接続部５４ａ〜５４ｃの順に流れて室内機５ａ〜５ｃに流入する。室内機５ａ〜５ｃに流入した冷媒は、室内機ガス管７２ａ〜７２ｃを流れて室内熱交換器５１ａ〜５１ｃに流入し、室内ファン５５ａ〜５５ｃの回転により室内機５ａ〜５ｃの内部に取り込まれた室内空気と熱交換を行って凝縮する。このように、室内熱交換器５１ａ〜５１ｃが凝縮器として機能し、室内熱交換器５１ａ〜５１ｃで冷媒と熱交換を行った室内空気が図示しない吹出口から室内に吹き出されることによって、室内機５ａ〜５ｃが設置された室内の暖房が行われる。
【００４４】
室内熱交換器５１ａ〜５１ｃから流出した冷媒は室内機液管７１ａ〜７１ｃを流れ、室内膨張弁５２ａ〜５２ｃを通過して減圧される。減圧された冷媒は、室内機液管７１ａ〜７１ｃ、液管接続部５３ａ〜５３ｃを流れて液管８に流入する。
【００４５】
液管８を流れる冷媒は、閉鎖弁２５を介して室外機２に流入する。室外機２に流入した冷媒は、室外機液管４４を流れ、吐出温度センサ３３で検出した圧縮機２１の吐出温度に応じた開度とされた室外膨張弁２４を通過するときにさらに減圧される。室外機液管４４から室外熱交換器２３に流入した冷媒は、室外ファン２７の回転により室外機２の内部に取り込まれた外気と熱交換を行って蒸発する。室外熱交換器２３から流出した冷媒は、冷媒配管４３、四方弁２２、冷媒配管４６、アキュムレータ２８、吸入管４２の順に流れ、圧縮機２１に吸入されて再び圧縮される。
【００４６】
尚、室内機５ａ〜５ｃが冷房／除霜運転を行う場合、ＣＰＵ２１０は、四方弁２２を破線で示す状態、すなわち、四方弁２２のポートａとポートｂとが連通するよう、また、ポートｃとポートｄとが連通するように切り換える。これにより、冷媒回路１００が、室外熱交換器２３が凝縮器として機能するとともに室内熱交換器５１ａ〜５１ｃが蒸発器として機能する冷房サイクルとなる。
【００４７】
次に、図１乃至図３を用いて、本実施形態の空気調和装置１において、本発明に関わる冷媒回路の動作やその作用、および、効果について説明する。尚、室内熱交換器５１ａが凝縮器として機能するときの液側温度センサ６１ａ〜６１ｃが、本発明の熱交出口温度センサとなる。
【００４８】
図２に示すように、本実施形態の空気調和装置１では、室外機２が建物６００の屋上に設置されるとともに室内機５ａ〜５ｃが各階に設置されている。つまり、室外機２が室内機５ａ〜５ｃより高い位置に設置されるとともに、室内機５ａと室内機５ｃの設置場所にも高低差Ｈがある設置となっている。この場合に、空気調和装置１で暖房運転を行ったときは、以下のような問題がある。
【００４９】
暖房運転では、圧縮機２１から吐出されたガス冷媒は、吐出管４１から四方弁２２を介して室外機ガス管４５を流れて室外機２から流出し、室内機５ａ〜５ｃの室内熱交換器５１ａ〜５１ｃに流入して凝縮する。このとき、室外機２が室内機５ａ〜５ｃより高い位置に設置されているために、室内熱交換器５１ａ〜５１ｃで凝縮し液管８に流出した液冷媒は、重力に逆らって室外機２に向かって液管８を流れることになる。
【００５０】
従って、室外機２に比べて室内機５ａ〜５ｃの設置位置が低くなる程液管８に流出した液冷媒が室外機２に向かって流れにくくなるため、１階に設置されている室内機５ｃの室内膨張弁５２ｃの下流側（室外機２側）における液冷媒の圧力は、他の階に設置されている室内機５ａ、５ｂの室内膨張弁５２ａ、５２ｂの下流側における液冷媒の圧力よりも高くなる。このため、室内機５ｃの室内膨張弁５２ｃの上流側（室内熱交換器５１ｃ側）の冷媒圧力と下流側の冷媒圧力の圧力差が、室内機５ａ、５ｂの室内膨張弁５２ａ、５２ｂの上流側の冷媒圧力と下流側の冷媒圧力の圧力差に比べて小さくなる。
【００５１】
上記のような冷媒回路１００の状態では、室内膨張弁５２ａ〜５２ｃの上流側の冷媒圧力と下流側の冷媒圧力の圧力差が小さいほど、室内膨張弁５２ａ〜５２ｃを流れる冷媒量が少なくなる。従って、１階に設置された室内機５ｃを流れる冷媒量は、他の室内機５ａ、５ｂを流れる冷媒量と比べて少なくなる。このことは、１階（一番低い位置）に設置された室内機５ｃと３階（一番高い位置）に設置された室内機５ａとの高低差Ｈが大きくなる程顕著になり、高低差が大きくなる（例えば、５０ｍ）と室内機５ｃから液管８に流出した液冷媒が室外機２に向かって流れなくなって液管８の下方に液冷媒が滞留する恐れがある。そして、液管８の下方に液冷媒が滞留すると、室内膨張弁５ｃを全開としても室内機５ｃに冷媒が流れずに室内機５ｃで暖房能力が発揮されない恐れがあった。
【００５２】
そこで、本発明では、空気調和装置１が暖房運転を行うときに、室内機５ａ〜５ｃの室内膨張弁５２ａ〜５２ｃの冷媒出口側（室外膨張弁５２ａ〜５２ｃ側）における冷媒過冷却度を定期的（例えば、３０秒毎）に算出し、算出した冷媒過冷却度のうち最大値と最小値を抽出してこれらの平均値である平均冷媒過冷却度を求める。そして、室内機５ａ〜５ｃの室内膨張弁５２ａ〜５２ｃの開度を調整して、室内熱交換器５１ａ〜５１ｃの冷媒出口側における冷媒過冷却度を求めた平均冷媒過冷却度とする冷媒量バランス制御を実行する。
【００５３】
液管８の下方に液冷媒が滞留して室内膨張弁５ｃを全開としても室内機５ｃに冷媒が流れずに室内機５ｃで暖房能力が発揮されないときは、室内機５ａ〜５ｃの各冷媒過冷却度は、例えば、室内機５ａで６ｄｅｇ、室内機５ｂで１０ｄｅｇ、室内機５ｃで２０ｄｅｇ、というように、室外機２から下方に行く程大きくなっている。また、液管８の下方に液冷媒が滞留することで、冷媒回路１００全体として冷媒循環量が不足している。
【００５４】
上記のような冷媒回路１００の状態であるときに冷媒量バランス制御を実行すると、平均冷媒過冷却度（上記の例の場合では、最大値：２０ｄｅｇと最小値：６ｄｅｇの平均値である１３ｄｅｇ）より冷媒過冷却度の小さい室内機５ａおよび５ｂでは、冷媒過冷却度を平均冷媒過冷却度まで上昇させるために室内膨張弁５２ａ、５２ｂの開度が絞られるので、室内膨張弁５２ａ、５２ｂの下流側の冷媒圧力が低下する。
【００５５】
このとき、平均冷媒過冷却度より冷媒過冷却度の大きい室内機５ｃでは、室内膨張弁５２ａ、５２ｂの下流側の冷媒圧力が低下することによって室内膨張弁５２ｃの下流側の冷媒圧力も低下するために、室内膨張弁５２ｃの上流側と下流側の圧力差が大きくなる。これにより、冷媒量バランス制御において室内機５ｃの冷媒過冷却度を平均冷媒過冷却度まで低下させるために室内膨張弁５２ｃの開度を大きくしているときに、その開度が全開となっても室内機５ｃの室内熱交換器５１ｃに滞留する液冷媒が液管８に流出するので、室内機５ｃの暖房能力が上昇する。
【００５６】
尚、室内機５ａと５ｂでは、室内膨張弁５２ａ、５２ｂの開度が絞られて室内熱交換器５１ａ、５１ｂに滞留する液冷媒量が冷媒量バランス制御を行わない場合と比べて増加するので、室内機５ａと５ｂでは暖房能力が一時的に低下する。しかし、冷媒量バランス制御を実行すれば室内機５ｃに滞留していた液冷媒が冷媒回路１００に流出するので、冷媒回路１００全体としての冷媒循環量が増加して冷媒回路１００の循環する冷媒量が充分な量となる。これにより、平均冷媒過冷却度が各室内機で充分な暖房能力を発揮できる所定の冷媒過冷却度（例えば、前述した１０ｄｅｇ）を下回るようになるため、全ての室内機で充分な暖房能力が発揮できるようになる。
【００５７】
次に、図３を用いて、本実施形態の空気調和装置１における暖房運転時の制御について説明する。図３は、空気調和装置１が暖房運転を行う場合の、室外機制御部２００のＣＰＵ２１０が行う制御に関する処理の流れを示すものである。図３において、ＳＴはステップを表し、これに続く数字はステップ番号を表している。尚、図３では本発明に関わる処理を中心に説明しており、これ以外の処理、例えば、使用者の指示した設定温度や風量等の運転条件に対応した冷媒回路１００の制御、といった、空気調和装置１に関わる一般的な処理については説明を省略している。また、以下の説明では、全ての室内機５ａ〜５ｃが暖房運転を行っている場合を例に挙げて説明する。
【００５８】
また、以下の説明では、室外機２の吐出圧力センサ３１で検出する圧縮機２１の吐出圧力をＰｈ、吐出圧力Ｐｈを用いて求める高圧飽和温度をＴｈｓ、室内機５ａ〜５ｃの液側温度センサ６１ａ〜６１ｃで検出する熱交出口温度をＴｏ（各室内機に対して個別に言及する必要がある場合は、Ｔｏａ〜Ｔｏｃと記載）、高圧飽和温度Ｔｈｓから熱交出口温度Ｔｏを減じて求める室内熱交換器５１ａ〜５１ｃの冷媒出口側における冷媒過冷却度をＳＣ（各室内機に対して個別に言及する必要がある場合は、ＳＣａ〜ＳＣｃと記載）、各室内機での冷媒過冷却度ＳＣのうち最大値と最小値を用いて求める平均冷媒過冷却度をＳＣｖとする。
【００５９】
まず、ＣＰＵ２１０は、使用者の運転指示が暖房運転指示であるか否かを判断する（ＳＴ１）。
暖房運転指示でなければ（ＳＴ１−Ｎｏ）、ＣＰＵ２１０は、冷房運転もしくは除湿運転の開始処理である冷房／除湿運転開始処理を実行する（ＳＴ１２）。ここで、冷房／除湿運転開始処理とは、ＣＰＵ２１０が四方弁２２を操作して冷媒回路１００を冷房サイクルとすることであり、最初に冷房運転もしくは除湿運転を行うときに行われる処理である。そして、ＣＰＵ２１０は、圧縮機２１や室外ファン２７を所定の回転数で起動するとともに、通信部２３０を介して室内機５ａ〜５ｃに対し室内ファン５５ａ〜５５ｃの駆動制御や室内膨張弁５２ａ〜５２ｃの開度調整を行うよう指示して冷房運転あるいは除湿運転の制御を開始し（ＳＴ１３）、ＳＴ９に処理を進める。
【００６０】
ＳＴ１において、暖房運転指示であれば（ＳＴ１−Ｙｅｓ）、ＣＰＵ２１０は、暖房運転開始処理を実行する（ＳＴ２）。ここで、暖房運転開始処理とは、ＣＰＵ２１０が四方弁２２を操作して冷媒回路１００を図１（Ａ）に示す状態、つまり、冷媒回路１００を暖房サイクルとすることであり、最初に暖房運転を行うときに行われる処理である。
【００６１】
次に、ＣＰＵ２１０は、暖房運転の開始処理を行う（ＳＴ３）。暖房運転の開始処理では、ＣＰＵ２１０は、室内機５ａ〜５ｃからの要求能力に応じた回転数で圧縮機２１や室外ファン２７を起動する。また、ＣＰＵ２１０は、吐出温度センサ３３で検出した圧縮機２１の吐出温度をセンサ入力部２４０を介して取り込み、取り込んだ吐出温度に応じて室外膨張弁２４の開度を調整する。さらには、ＣＰＵ２１０は、室内機５ａ〜５ｃに対し通信部２３０を介して暖房運転を開始する旨の運転開始信号を送信する。
【００６２】
運転開始信号を通信部５３０ａ〜５３０ｃを介して受信した室内機５ａ〜５ｃの室内機制御手段５００ａ〜５００ｃのＣＰＵ５１０ａ〜５１０ｃは、使用者の風量指示に応じた回転数で室内ファン５５ａ〜５５ｃを起動するとともに、室内熱交換器５１ａ〜５１ｃの冷媒出口（液管接続部５３ａ〜５３ｃ側）での冷媒過冷却度が運転開始時の目標冷媒過冷却度（例えば、６ｄｅｇ）となるように室内膨張弁５２ａ〜５２ｃの開度を調整する。ここで、目標冷媒過冷却度は、予め試験等を行って求めて記憶部５３０ａ〜５３０ｃに記憶されている値であり、各室内機で暖房能力が十分に発揮されることが確認できている値である。尚、ＣＰＵ５１０ａ〜５１０ｃは、暖房運転の開始から冷媒回路１００の状態が安定するまでの間（例えば、運転開始から３分間）は、上述した運転開始時の目標冷媒過冷却度となるように室内膨張弁５２ａ〜５２ｃの開度を調整する。
【００６３】
次に、ＣＰＵ２１０は、吐出圧力センサ３１で検出した吐出圧力Ｐｈをセンサ入力部２４０を介して取り込むとともに、各室内機５ａ〜５ｃから熱交出口温度Ｔｏ（Ｔｏａ〜Ｔｏｃ）を通信部２３０を介して取り込む（ＳＴ４）。尚、熱交出口温度Ｔｏは、室内機５ａ〜５ｃにおいて液側温度センサ６１ａ〜６１ｃでの検出値をＣＰＵ５１０ａ〜５１０ｃが取り込み、通信部５３０ａ〜５３０ｃを介して室外機２に送信しているものである。また、上述した各検出値は、所定時間毎（例えば、３０秒毎）に各ＣＰＵに取り込まれて各記憶部に記憶されている。
【００６４】
次に、ＣＰＵ２１０は、ＳＴ４で取り込んだ吐出圧力Ｐｈを用いて高圧飽和温度Ｔｈｓを求め（ＳＴ５）、求めた高圧飽和温度ＴｈｓとＳＴ４で取り込んだ熱交出口温度Ｔｏを用いて、室内機５ａ〜５ｃの冷媒過冷却度ＳＣを求める（ＳＴ６）。
【００６５】
次に、ＣＰＵ２１０は、ＳＴ６で求めた室内機５ａ〜５ｃの冷媒過冷却度ＳＣを用いて平均冷媒過冷却度ＳＣｖを算出する（ＳＴ７）。具体的には、ＣＰＵ２１０は、室内機５ａ〜５ｃの冷媒過冷却度ＳＣａ〜ＳＣｃの中で最大値と最小値を抽出し、これらの平均値を求めてこれを平均冷媒過冷却度ＳＣｖとする。
【００６６】
次に、ＣＰＵ２１０は、ＳＴ７で求めた平均冷媒過冷却度ＳＣｖとＳＴ５で求めた高圧飽和温度Ｔｈｓを、通信部２３０を介して室内機５ａ〜５ｃに送信する（ＳＴ８）。通信部５３０ａ〜５３０ｃを介して平均冷媒過冷却度ＳＣｖと高圧飽和温度Ｔｈｓを受信した室内機５ａ〜５ｃのＣＰＵ５１０ａ〜５１０ｃは、室外機２から受信した高圧飽和温度Ｔｈｓから液側温度センサ６１ａ〜６１ｃで検出した熱交出口温度Ｔｏａ〜Ｔｏｃを減じて冷媒過冷却度ＳＣａ〜ＳＣｃを求め、求めた冷媒過冷却度ＳＣａ〜ＳＣｃが、室外機２から受信した平均冷媒過冷却度ＳＣｖとなるように、室内膨張弁５２ａ〜５２ｃの開度を調整する。
以上説明したＳＴ４〜ＳＴ８までの処理が、本発明の冷媒量バランス制御に関わる処理である。
【００６７】
ＳＴ８の処理を終えたＣＰＵ２１０は、使用者による運転モード切替指示があるか否かを判断する（ＳＴ９）。ここで、運転モード切替指示とは、現在の運転（ここでは暖房運転）から別の運転（冷房運転あるいは除湿運転）への切替を指示するものである。運転モード切替指示がある場合は（ＳＴ１０−Ｙｅｓ）、ＣＰＵ２１０は、ＳＴ１に処理を戻す。運転モード切替指示がない場合は（ＳＴ１０−Ｎｏ）、ＣＰＵ２１０は、使用者による運転停止指示があるか否かを判断する（ＳＴ１１）。運転停止指示とは、全ての室内機５ａ〜５ｃが運転を停止することを指示すものである。
【００６８】
運転停止指示があれば（ＳＴ１０−Ｙｅｓ）、ＣＰＵ２１０は、運転停止処理を実行し（ＳＴ１１）、処理を終了する。運転停止処理では、ＣＰＵ２１０は、圧縮機２１や室外ファン２７を停止するとともに室外膨張弁２４を全閉とする。また、ＣＰＵ２１０は、室内機５ａ〜５ｃに対し通信部２３０を介して運転を停止する旨の運転停止信号を送信する。運転停止信号を通信部５３０ａ〜５３０ｃを介して受信した室内機５ａ〜５ｃのＣＰＵ５１０ａ〜５１０ｃは、室内ファン５５ａ〜５５ｃを停止するとともに室内膨張弁５２ａ〜５２ｃを全閉とする。
【００６９】
ＳＴ１０において運転停止指示がなければ（ＳＴ１０−Ｎｏ）、ＣＰＵ２１０は、現在の運転が暖房運転であるか否かを判断する（ＳＴ１４）。現在の運転が暖房運転であれば（ＳＴ１４−Ｙｅｓ）、ＣＰＵ２１０は、ＳＴ３に処理を戻す。現在の運転が暖房運転でなければ（ＳＴ１４−Ｎｏ）、つまり、現在の運転が冷房運転もしくは除湿運転であれば、ＣＰＵ２１０は、ＳＴ１３に処理を戻す。
【実施例２】
【００７０】
次に、主に図４を用いて、本発明の第２の実施形態について説明する。第１の実施形態と異なるのは、第１の実施形態では暖房運転開始時から（正確には、冷媒回路１００が安定してから）冷媒量バランス制御を実行するのに対し、第２の実施形態では暖房能力が発揮できていない室内機があると判断した時点から冷媒量バランス制御を実行する点である。尚、これ以外の点、つまり、空気調和装置１の構成や暖房運転時の冷媒回路１００の状態については、第１の実施形態と同じであるため、詳細な説明を省略する。
【００７１】
第１の実施形態で説明したように、冷媒量バランス制御を実行すれば、室内機５ａ〜５ｃの平均冷媒過冷却度より冷媒過冷却度の大きい室内機（第１の実施形態では室内機５ｃ）では、当該室内機に滞留する冷媒が流出して暖房能力が上昇する。一方、平均冷媒過冷却度より冷媒過冷却度の小さい室内機（第１の実施形態では室内機５ａおよび５ｂ）では、当該室内機の室内熱交換器における冷媒流量が冷媒量バランス制御を行わない場合と比べて減少して暖房能力が一時的に低下する。つまり、暖房能力が発揮できていない下方に設置された室内機で暖房能力を発揮させるために、当該室内機より上方に設置された室内機で暖房能力を一時的に低下させることとなる。
【００７２】
第１の実施形態では、暖房運転開始時から冷媒量バランス制御を実行する。このため、暖房能力が発揮できていない室内機が存在する／しないに関わらず冷媒量バランス制御を実行することとなるため、暖房能力が発揮できていない室内機が存在しない場合に冷媒量バランス制御が実行されると、暖房能力が発揮できている室内機で暖房能力を不必要に低下させることになっていた。
【００７３】
これに対し、第２の実施形態では、以下に説明する方法によって暖房能力が発揮できていない室内機の有無を判断し、暖房能力が発揮できていない室内機が存在する場合のみ冷媒量バランス制御を実行する。これにより、暖房運転時において暖房能力が発揮できている室内機の暖房能力をで必要に低下させることを防ぎつつ、暖房能力が発揮できていない室内機が存在する場合に当該室内機の暖房能力を上昇させることができる。
【００７４】
暖房能力が発揮できていない室内機の有無の判断は、例えば次のようにして行う。まず、室外機２のＣＰＵ２１０は、吐出圧力センサ３１からセンサ入力部２４０を介して取り込んだ吐出圧力Ｐｈを用いて求めた高圧飽和温度Ｔｈから、通信部２３０を介して室内機５ａ〜５ｃから取り込んだ熱交出口温度Ｔｏａ〜Ｔｏｃを減じて室内機５ａ〜５ｃの冷媒過冷却度ＳＣａ〜ＳＣｃを求める。そして、ＣＰＵ２１０は、求めた室内機５ａ〜５ｃの冷媒過冷却度ＳＣａ〜ＳＣｃが所定の冷媒過冷却度（例えば、２０℃）より大きい室内機があれば、当該室内機で暖房能力が発揮できていないと判断する。
【００７５】
次に、図４を用いて、本実施形態の空気調和装置１における暖房運転時の制御について説明する。図４は、空気調和装置１が暖房運転を行う場合の、室外機制御部２００のＣＰＵ２１０が行う制御に関する処理の流れを示すものである。図４において、ＳＴはステップを表し、これに続く数字はステップ番号を表している。尚、図４では本発明に関わる処理を中心に説明しており、これ以外の処理、例えば、使用者の指示した設定温度や風量等の運転条件に対応した冷媒回路１００の制御、といった、空気調和装置１に関わる一般的な処理については説明を省略している。また、以下の説明では、第１の実施形態と同様に、全ての室内機５ａ〜５ｃが暖房運転を行っている場合を例に挙げて説明する。
【００７６】
尚、図４に示すフローチャートは、ＳＴ３４とＳＴ３５とＳＴ３７の処理を除き、第１の実施形態で説明した図３に示すフローチャートと同じ処理であるため、これらの詳細な説明は省略し、ここではＳＴ３４とＳＴ３５とＳＴ３７の処理のみ説明する。
【００７７】
ＳＴ３４において、ＣＰＵ２１０は、吐出圧力センサ３１で検出した吐出圧力Ｐｈをセンサ入力部２４０を介して取り込むとともに、各室内機５ａ〜５ｃから通信部２３０を介して、熱交出口温度Ｔｏ（Ｔｏａ〜Ｔｏｃ）を取り込む。熱交出口温度Ｔｏは、室内機５ａ〜５ｃにおいて液側温度センサ６１ａ〜６１ｃでの検出値をＣＰＵ５１０ａ〜５１０ｃが取り込み、通信部５３０ａ〜５３０ｃを介して室外機２に送信しているものである。尚、上述した各検出値は、所定時間毎（例えば、３０秒毎）に各ＣＰＵに取り込まれて各記憶部に記憶されている。
【００７８】
次に、ＣＰＵ２１０は、ＳＴ３４で取り込んだ吐出圧力Ｐｈを用いて高圧飽和温度Ｔｈｓ求め（ＳＴ３５）、ＳＴ３６へ処理を進める。ＳＴ３６の処理で室内機５ａ〜５ｃの冷媒過冷却度ＳＣａ〜ＳＣｃを算出したＣＰＵ２１０は、算出した冷媒過冷却度ＳＣａ〜ＳＣｃが２０ｄｅｇ以上となっている室内機があるか否かを判断する（ＳＴ３７）、つまり、暖房能力を発揮できていない室内機があるか否かを判断する。
【００７９】
冷媒過冷却度ＳＣａ〜ＳＣｃが２０ｄｅｇ以上となっている室内機がなければ（ＳＴ３７−Ｎｏ）、ＣＰＵ２１０は、ＳＴ４０に処理を進める。この場合、室内機５ａ〜５ｃのＣＰＵ５１０ａ〜５１０ｃは、冷媒過冷却度が暖房運転開始時の目標冷媒過冷却度（例えば、６ｄｅｇ）となるように室内膨張弁５２ａ〜５２ｃの開度を調整する。
【００８０】
冷媒過冷却度ＳＣａ〜ＳＣｃが２０ｄｅｇ以上となっている室内機があれば（ＳＴ３７−Ｙｅｓ）、ＣＰＵ２１０は、ＳＴ３６で求めた室内機５ａ〜５ｃの冷媒過冷却度ＳＣａ〜ＳＣｃを用いて平均冷媒過冷却度ＳＣｖを算出し（ＳＴ３８）、平均冷媒過冷却度ＳＣｖとＳＴ３５で求めた高圧飽和温度Ｔｈｓを、通信部２３０を介して室内機５ａ〜５ｃに送信して（ＳＴ３９）、ＳＴ４０に処理を進める。
以上説明したＳＴ３４〜ＳＴ３９までの処理が、本発明の第２の実施形態における冷媒量バランス制御に関わる処理である。
【００８１】
以上説明したように、本発明の空気調和装置１は、室内機５ａ〜５ｃにおける冷媒過冷却度ＳＣａ〜ＳＣｃが、これらの最大値および最小値を用いて求めた平均冷媒過冷却度ＳＣｖとなるように、室内膨張弁５２ａ〜５２ｃの開度を調整する冷媒量バランス制御を実行する。これにより、暖房能力が発揮できていない室内機に滞留する冷媒が当該室内機から流出するので、当該室内機の暖房能力が上昇する。
【００８２】
尚、以上説明した各実施形態では、各室内機の冷媒過冷却度を用いて冷媒量バランス制御を実行する場合について説明したが、冷媒過冷却度に代えて前述のように液側温度検出手段（液側温度センサ６１ａ〜６１ｃ）で検出した各室内機の室内熱交換器の熱交出口温度を用いて冷媒量バランス制御を実行してもよい。熱交出口温度を用いて冷媒量バランス制御を実行する場合は、各室内機の熱交出口温度が、これら熱交出口温度のうちの最大値と最小値を用いて求める平均熱交出口温度となるように、各室内膨張弁の開度を調整する。
【００８３】
また、第２の実施形態では、各室内機の冷媒過冷却度と、各室内機における吹出温度と吸込温度の温度差を用いて、暖房能力が発揮できていない室内機の有無を判断したが、冷媒過冷却度に代えて各室内機の熱交出口温度と、各室内機における吹出温度と吸込温度の温度差を用いて、暖房能力が発揮できていない室内機の有無を判断してもよい。各室内機の熱交出口温度を用いる場合は、熱交出口温度が例えば吸込温度以下であり、かつ、吹出温度と吸込温度の温度差が所定温度差より小さい室内機を、暖房能力が発揮できていない室内機と判断する。
【符号の説明】
【００８４】
１  空気調和装置
２  室外機
５ａ〜５ｃ  室内機
３１  吐出圧力センサ
５１ａ〜５１ｃ  室内熱交換器
５２ａ〜５２ｃ  室内膨張弁
６１ａ〜６１ｃ  液側温度センサ
６３ａ〜６３ｃ  吸込温度センサ
６４ａ〜６４ｃ  吹出温度センサ
１００  冷媒回路
２００  室外機制御部
２１０  ＣＰＵ
５００ａ〜５００ｃ  室内機制御部
５１０ａ〜５１０ｃ  ＣＰＵ
Ｐｈ  吐出圧力
ＳＣ  冷媒過冷却度
ＳＣｖ  平均冷媒過冷却度
Ｔｈｓ  高圧飽和温度
Ｔｏ  熱交出口温度
【図１】
0006569536.tif 000002
【図２】
0006569536.tif 000003
【図３】
0006569536.tif 000004
【図４】
0006569536.tif 000005